(57)【特許請求の範囲】
【請求項１】
少なくとも着用者の鼻頭から顎先までを覆うマスク本体と、
該マスク本体の左右縁部付近に、左右一対として上下離隔して取り付けた二組の紐体と、から成り、かつ各組の紐体は互いに連係することなく、それぞれ後頭部付近及び首裏付近で結束して固定する紐結束タイプのマスクであって、
前記紐体を、非伸縮部材で形成すると共に、前記マスク本体との取り付け部に配置した伸縮部材を介して前記マスク本体へ取り付けたことを特徴とする紐結束タイプのマスク。
【請求項２】
上記伸縮部材が、紐状、面状、帯状、及びコイル状、の何れか、又はこれらの組み合わせから成ることを特徴とする請求項１記載の紐結束タイプのマスク。
【請求項３】
上記伸縮部材の取り付けにおいて、その伸縮率と長さ、又はそれらのいずれかを、上下位置の紐体で異ならしめたことを特徴とする請求項１、又は２記載の紐結束タイプのマスク。
【請求項４】
上記紐結束が、後頭部付近及び首裏付近で行う紐結びであることを特徴とする請求項1、２、又は３記載の紐結束タイプのマスク。
【請求項５】
前記紐結束が、左右から延びる両紐体をまとめて摺動するコードストッパーによる摩擦固定であることを特徴とする請求項1、２、又は３記載の紐結束タイプのマスク。
【発明の詳細な説明】
【技術分野】
【０００１】
本願に係る発明（以下、「本発明」）は、マスク本体を後頭部付近と首裏付近において紐結束により固定して着用する紐結束タイプのマスクに関する。
【背景技術】
【０００２】
ここ最近、世界的に流行している新型コロナウイルスの感染予防対策として、屋内屋外を問わず殆どの人が日常的にマスクを着用している。
【０００３】
しかし、かかる感染予防対策のためのマスク着用は、着用者からのウイルスの飛散防止を重視し、マスク本体の外周縁部が顔面に均等に密着していることが好ましいとされている。これらのマスクの多くは、耳掛けタイプであり、着用者の顔面にマスクを保持固定させる手段として、ゴム（以下、「耳ゴム」と略称する。）を用いている。このため、マスク本体の顔面への密着性を高めるためには引張力の強いゴムを使用することが望ましいが、引張力の強いゴムを使用すると、耳に食い込んで痛みを感じさせることが多かった。一方、この痛みを和らげるために引張力の弱いゴムを使用すると、マスク本体の顔面への密着性が低下してしまう問題があった。
【０００４】
そこで、耳への負担を軽減するために、耳ゴムの途中にゴムの長さや強さを調整するための調整部を設けたマスク（例えば、特許文献１を参照。）や、耳ゴムに弾性部材を取り付けたマスク（例えば、特許文献２を参照。）が開示されている。
【０００５】
しかしながら、これらいずれの特許文献に記載のマスクは、耳ゴムとしては一本のゴム紐を用いることが想定されており、耳ゴムの長さ方向に集中して引張力が作用するため、ゴムの引張力が全て耳ゴムの伸縮方向、すなわち耳掛け部による締め付け方向と同じ方向に働くこととなり、耳に痛みが生じる等、耳ゴムによる締め付けの解消には不十分であった。
【０００６】
また別な構成のマスクとしては、かかる耳掛けの負担の回避を目的として、後頭部や首裏部で左右の耳ゴムどうしを連結する連結具や耳掛け部の長さを調節する器具を取り付けたものが開示されている（例えば、特許文献３、特許文献４を参照。）。
【先行技術文献】
【特許文献】
【０００７】
【特許文献１】特開２０１４−２１０１５３号公報
【特許文献２】特開２０１５−０４２２３１号公報
【特許文献３】国際公開ＷＯ２０１６／０４７５７９号公報
【特許文献４】実用新案登録第３２２９２９１号公報
【発明の概要】
【発明が解決しようとする課題】
【０００８】
しかしながら、上記例の公開発明や登録考案は、耳掛け部や後頭部固定手段としてゴム紐等の伸縮部材を用いており、密着性を高めるためにある程度強い引張力を持たせる必要があった。このような状態で長時間使用した場合は、息苦しさに加えて、会話時などの口元の動きが、圧着した紐の摩擦刺激による肌荒れやかぶれ（刺激性接触性皮膚炎）などの皮膚トラブルを招くおそれがあった。
【０００９】
本発明は、上記課題の解決を目的としたものであり、耳に負担をかけることなく、着用者の顔に良好にかつ気密にフィットさせることができると共に、口元の動きに追従し易く紐による摩擦性の刺激を解消させることを目的としたマスクを提供する。
【課題を解決するための手段】
【００１０】
上記課題を解決するために、請求項１として特定した本発明は、少なくとも着用者の鼻頭から顎先までを覆うマスク本体と、該マスク本体の左右縁部付近に、左右一対として上下離隔して取り付けた二組の紐体と、から成り、かつ各組の紐体は互いに連係することなく、それぞれ後頭部付近及び首裏付近で結束して固定する紐結束タイプのマスクであって、前記紐体を、非伸縮部材で形成すると共に、前記マスク本体との取り付け部に配置した伸縮部材を介して前記マスク本体へ取り付ける構成としている。
【００１１】
請求項２記載の本発明は、上記伸縮部材を、紐状、面状、帯状、コイル状、の何れか、又はこれらの組み合わせであることを特徴とするものである。
【００１２】
請求項３記載の本発明は、上記請求項１又は２の発明において、上下離隔してそれぞれ取り付けた左右一対からなる二組の紐体の前記マスク本体の取り付けにおいて、上記伸縮部材の伸縮率及び長さ、又はそのいずれかを上下の紐体で異ならしめた構成とすることを特徴とするものである。
【００１３】
さらに、上記紐結束の手段は、後頭部付近及び首裏（首の後側）付近で行う紐結び方式、又は左右から延びる両紐体をまとめて摺動するコードストッパーによる摩擦固定方式のいずれの方式も選択可能である。
【発明の効果】
【００１４】
本発明に係るマスク（以下、「本マスク」）は、上記のように構成しているため、耳に痛みを生じさせることなく、着用者の顔に良好にフィットさせることができる。特に、マスク本体に紐体ごとに独立した伸縮部材を介在させて取り付けているため、口や顎の動きに追従し易くなる効果を有する。このことは、紐体の擦れを軽減して皮膚への摩擦刺激を解消することができる。
【００１５】
また、本マスクは、紐結束タイプであるため、着用時に伸縮しない非伸縮性の紐体で最適な結束を着用者の好みに応じて人為的に行うため、後頭部及び首裏への負担を選択的に軽減することができる。
【００１６】
さらに、通常のゴム性の耳掛け式のマスクでは、食事や飲食時にマスクを前方へ引っ張ると耳掛けから外れることが多いが、本マスクにあっては伸縮部材部分の伸びで対応することができるため、再度着用し直す煩わしさがない効果も有する。
【図面の簡単な説明】
【００１７】
【図１】本発明の実施形態例（以下、「本実施例」と略称する。）に係るマスクを着用した状態を示す斜視図である。
【図２】本実施例に係るマスクを示す正面視の平面図であり、紐体は長尺状であるため一部長さを省略して表している。
【図３】紐結束手段の他の実施例を適用したマスク正面視の平面図である。
【図４】本実施例のマスク本体に作用する引張力を表した説明図である。
【発明を実施するための形態】
【００１８】
［構成の説明］
以下に、本実施例に係るマスクについて、図面を参照しながら説明する。ただし、本発明の技術的範囲は図示例に限定して解釈されるものではなく、あくまで特許請求の範囲の記載を基に判断され、当業者であれば容易に理解される範囲で、その形態及び仕様を適宜に変更することは可能である。
なお、説明の便宜上、マスク着用者の顔前面側を正面とし、これを基準にして、前方後方、左右方向、及び上下方向と定めて説明に用いる。
【００１９】
図示符号１で示す本実施例に係るマスクは、着用者の顔面の鼻、口、顎等を一連に覆うマスク本体１１と、該マスク本体１１の左右の縁部付近に、左右一対となる紐体１２を上下に離隔して取り付けた二組の紐体１２を備えている。各紐体１２は、伸び縮みのない非伸縮部材である小幅の帯布部材で形成し、マスク本体１１への取り付けは、その取り付け部に配置した伸縮性のある伸縮部材１３（例えば、ゴム繊維材、コイル状繊維材、等）を介して行っている。
【００２０】
この伸縮部材１３の長さは適宜であるが、本実施例では２〜３ｃｍ程度の長さに設定している。この長さの選択は、左右一対を上下で異なる長さに設定してもよく、また同じ長さでも伸縮率（引張力の加減）を異ならしめてもよい。さらには、伸縮力と長さを共に異なる設定としてもよい。
【００２１】
なお、本実施例において、上記伸縮部材１３のマスク本体１１への取り付けは、超音波溶着方式を用いているが、これに限らず熱溶着方式、ホットメルト接着剤、又はＵＶ硬化型接着剤、等を用いて取り付けるようにしてもよい。
【００２２】
上記構成の各紐体１２は、図１で示したように上位側の左右一対の紐体１２ｐｕの先端部側を着用者の後頭部付近（又は頭頂寄り）で結び目１４（例えば、蝶結び）、及び下位側の左右一対の紐体１２ｐｄを首裏（首の後側）付近で結び目１４を設けて固定するようにしている。なお、これらの結び目１４の位置は、上記位置に限定するものではなく、状況次第で頭側部付近や首周辺部付近に設けてもよい。
【００２３】
さらに、本実施例のマスク１では、上記のように紐結びで固定しているが、これに限らず、図３で示したように、左右から延びる一対の紐体１２ｐをまとめて摺動するコードストッパー１５による摩擦固定により結束するように固定してもよい。
【００２４】
本実施例のマスク本体１１は、ＮＩＯＳＨ（米国労働安全衛生研究所）規格のＮ９５規格のマスクを用いているが、Ｎ９５規格は、所定の粒子状物質の捕獲率を示すもので、着用後のマスクと顔との密着性は保証していない。そのため、本実施例のマスク１は、マスク本体１１の顔面への密着を高めるため図示したように顔前方に突出したカップ状に形成すると共に、左右の縁部１１ｓを顔のほうれい線の外側の頬面と接触する位置まで顔面に被せている。カップ状であるためマスク本体１１の内面側（顔面側）に一定の通気用間隙を設けて着用者の鼻頭や唇に直接接触しない状態となるようにしている。
【００２５】
［実施例の作用と効果］
そして、この状態は、着用時のマスク本体１１の側面視の平面図（図４）において、顔前方の方向（矢印Ａ）と、上下に離隔して取り付けた一対の紐体１２ｐの上斜め方向（矢印Ｂ）と下斜め方向（矢印Ｃ）の引張力がつり合った状態となって、安定的に密着状態を維持することができる。
【００２６】
また、会話や呼吸による顎の上下動や頬の膨らみによって生じるマスク本体１１やその縁部１１ｓの動きをそれぞれの伸縮部材１３がそれぞれ個別に伸縮して安定的に保つことができる。
【００２７】
さらにまた、口元の換気を行う場合は、マスク本体１１を前方又は斜め上方へ移動させる事も、伸縮部材１３の伸縮量の範囲内で行うことができ、柔軟な対応を可能とする新規なマスクを提供することが可能となる。
【符号の説明】
【００２８】
１  マスク
１１  マスク本体
１２  紐体
１３  伸縮部材
１４  結び目
１５  コードストッパー
【要約】
【課題】耳に負担をかけることなく、着用者の顔に良好にかつ気密にフィットさせることができると共に、口元の動きに追従し易く紐による摩擦性の刺激を解消可能なマスクを提供する。
【解決手段】本発明に係るマスク１は、着用者の鼻頭から顎先までを覆うマスク本体１１と、マスク本体の左右縁部付近に、左右一対として上下離隔して取り付けた二組の紐体２と、から成る紐結束により固定する紐結束タイプのマスクであって、前記紐体を、非伸縮部材で形成すると共に伸縮部材１３を介しマスク本体へ取り付けて構成する。また、上下離隔した左右二対の紐体のマスク本体の取り付けにおいては、伸縮部材の伸縮率及び長さ、又はそのいずれかを上下の紐体で異なった構成としてもよい。紐結束の手段でも、後頭部や首裏付近で行う紐結び方式、又は紐体をまとめて摺動するコードストッパーによる摩擦固定方式のいずれかにしてもよい。
【選択図】図１【図１】
0006970475.tif 000002
【図２】
0006970475.tif 000003
【図３】
0006970475.tif 000004
【図４】
0006970475.tif 000005